(57)【要約】【課題】  光拡散板を具えたバックライトモジュールの提供。【解決手段】  フレーム、反射板、上板、少なくとも一つの光源、及び少なくとも一つの光拡散板を具え、反射板はフレームの底部に設置され、上板はフレームの上部に設置され、上板と反射板の間に所定距離があり、光源は反射板の上表面に位置し、光拡散板は光源と上板の間にありその厚さは光源と上板間の距離に反比例する。光拡散板の厚さが光源から上板までの距離に反比例する設計により光源と上板の間の距離の違いにより発生する明暗不均一の問題が解消されバックライトモジュールの輝度が均一とされ、また、光源と上板の間の距離を減少でき、全体のバックライトモジュールの厚さを減らし軽薄短小の設計を達成する。【選択図】        図２
2006173082.tif 000002
【特許請求の範囲】
【請求項１】
光拡散板を具えたバックライトモジュールにおいて、
フレームと、
該フレームの底部に組みつけられ、上表面を具えた反射板と、
該フレームの上部に組みつけられ、下表面を具え、且つ該反射板との間に所定距離を保持する上板と、
該反射板の該上表面に取り付けられた少なくとも一つの光源と、
該上板の該下表面に組みつけられ、且つ少なくとも一つの光源に対応する少なくとも一つの光拡散板と、
を具え、少なくとも一つの光拡散板が厚さを具え、該厚さが少なくとも一つの光源と該上板間の距離に反比例することを特徴とする、光拡散板を具えたバックライトモジュール。
【請求項２】
請求項１記載の光拡散板を具えたバックライトモジュールにおいて、少なくとも一つの光拡散板の外壁が連続曲線断面とされたことを特徴とする、光拡散板を具えたバックライトモジュール。
【請求項３】
請求項２記載の光拡散板を具えたバックライトモジュールにおいて、少なくとも一つの光拡散板の外壁が放物線断面とされたことを特徴とする、光拡散板を具えたバックライトモジュール。
【請求項４】
請求項１記載の光拡散板を具えたバックライトモジュールにおいて、少なくとも一つの光拡散板の外壁が不連続断面とされたことを特徴とする、光拡散板を具えたバックライトモジュール。
【請求項５】
請求項１記載の光拡散板を具えたバックライトモジュールにおいて、少なくとも一つの光拡散板が半透明材料で形成され、且つ上板が透明材料で形成されたことを特徴とする、光拡散板を具えたバックライトモジュール。
【請求項６】
請求項１記載の光拡散板を具えたバックライトモジュールにおいて、少なくとも一つの光拡散板が貼り付け方式で上板の下表面に組みつけられたことを特徴とする、光拡散板を具えたバックライトモジュール。
【発明の詳細な説明】
【技術分野】
【０００１】
本発明は光拡散板を具えたバックライトモジュールに係り、特に、直下式バックライトモジュール中に適用されて光源の発生する光を均一に拡散させる装置に関する。
【背景技術】
【０００２】
一般に大型の液晶パネルは、その光源の発生にいわゆる直下式バックライトモジュールが利用され、それはランプ（光源）、拡散板、反射板、フレーム等の部品を具え、バックライトモジュールの輝度が均一であるかは前述の部品の設計方式により決まる。
【０００３】
伝統的に、バックライトモジュールに均一な光線輝度を具備させるため、拡散板等の部品にはフロスト処理が採用されるか、拡散板に拡散膜が取り付けられる。ただしこのような方式は全体のバックライトモジュールの輝度を下げるほか、ランプの発生する熱量が拡散膜の損壊を形成し、またランプと拡散板間の距離を増さねばならないのでバックライトモジュールの厚さが増す。さらに、このような方式はランプと拡散板の間の距離の変化がバックライトモジュールに明暗不均一の現象を発生させることを考慮しておらず、このためバックライトモジュールの品質不良を形成する。
【０００４】
このほか、上述の問題を解消するための別の周知の技術によると、拡散板にスクリーン印刷がなされ、このような方式は拡散板の表面に複数の遮光網点が印刷されることで、ランプと拡散板の間の距離の違いによる明暗不均一の問題を解消する。しかし、このような方式は全体のバックライトモジュールの輝度を下げるため理想的でない。
【発明の開示】
【発明が解決しようとする課題】
【０００５】
本発明は一種の光拡散板を具えたバックライトモジュールを提供することを目的とする。それは、フレーム、反射板、上板、少なくとも一つの光源、及び少なくとも一つの光拡散板を具えている。そのうち、反射板はフレームの底部に設置され、且つ反射板は上表面を具えている。このほか、上板はフレームの上部に設置され、且つ上板は下表面を具え、且つ上板と反射板の間に所定距離が保持される。
【０００６】
このほか、少なくとも一つの光源が反射板の上表面に取り付けられ、少なくとも一つの光拡散板が上板の下表面に組みつけられ、並びに光拡散板が少なくとも一つの光源に対応する。そのうち、前述の光拡散板は厚さを具え、且つこの厚さは少なくとも一つの光源と上板間の距離に反比例する。
【０００７】
これにより、上述の光拡散板の厚さが光源と上板間の距離に反比例する構造設計を利用し、光源と上板の間の距離の違いにより発生する明暗不均一の問題を解消し、且つバックライトモジュールの輝度に影響を与えずに、バックライトモジュールの輝度を均一とすることができる。
【０００８】
本発明の光拡散板の外壁には連続曲線断面が採用されるか、或いは不連続断面が採用され、例えば放物線断面、円形断面、多角形断面が採用される。また、光拡散板は半透明材料で形成可能で、上板は透明材料で形成されるか、或いはその反対に、光拡散板が透明材料で形成され、上板が半透明材料で形成される。光拡散板の材料は透明ゴム、シリコン、エポキシ、ＰＭＣ、ＭＭＣ、ＵＰＣ、ポリアミド、ポリイミド等熱硬化性材料或いはＰＥ、ＰＶＣ、ＰＰ、ＰＭＭＡ、ＰＣ、ＰＢＴ等熱可塑性材料及びガラスとされ、透明ガラスが最も好ましい。その理由は耐高熱であるため光拡散板と上板の所定距離を縮小でき、即ち光源と上板の間の距離を減らして全体のバックライトモジュールの厚さを減らして軽薄短小の設計を達成できることにある。
【０００９】
上述の光拡散板は貼り付け方式で上板の下表面に組みつけ可能である。
【課題を解決するための手段】
【００１０】
請求項１の発明は、光拡散板を具えたバックライトモジュールにおいて、
フレームと、
該フレームの底部に組みつけられ、上表面を具えた反射板と、
該フレームの上部に組みつけられ、下表面を具え、且つ該反射板との間に所定距離を保持する上板と、
該反射板の該上表面に取り付けられた少なくとも一つの光源と、
該上板の該下表面に組みつけられ、且つ少なくとも一つの光源に対応する少なくとも一つの光拡散板と、
を具え、少なくとも一つの光拡散板が厚さを具え、該厚さが少なくとも一つの光源と該上板間の距離に反比例することを特徴とする、光拡散板を具えたバックライトモジュールとしている。
請求項２の発明は、請求項１記載の光拡散板を具えたバックライトモジュールにおいて、少なくとも一つの光拡散板の外壁が連続曲線断面とされたことを特徴とする、光拡散板を具えたバックライトモジュールとしている。
請求項３の発明は、請求項２記載の光拡散板を具えたバックライトモジュールにおいて、少なくとも一つの光拡散板の外壁が放物線断面とされたことを特徴とする、光拡散板を具えたバックライトモジュールとしている。
請求項４の発明は、請求項１記載の光拡散板を具えたバックライトモジュールにおいて、少なくとも一つの光拡散板の外壁が不連続断面とされたことを特徴とする、光拡散板を具えたバックライトモジュールとしている。
請求項５の発明は、請求項１記載の光拡散板を具えたバックライトモジュールにおいて、少なくとも一つの光拡散板が半透明材料で形成され、且つ上板が透明材料で形成されたことを特徴とする、光拡散板を具えたバックライトモジュールとしている。
請求項６の発明は、請求項１記載の光拡散板を具えたバックライトモジュールにおいて、少なくとも一つの光拡散板が貼り付け方式で上板の下表面に組みつけられたことを特徴とする、光拡散板を具えたバックライトモジュールとしている。
【発明の効果】
【００１１】
本発明は一種の光拡散板を具えたバックライトモジュールを提供し、それは、フレーム、反射板、上板、少なくとも一つの光源、及び少なくとも一つの光拡散板を具え、反射板はフレームの底部に設置され、上板はフレームの上部に設置され、上板と反射板の間に所定距離があり、光源は反射板の上表面に位置し、光拡散板は光源と上板の間にありその厚さは光源と上板間の距離に反比例する。光拡散板の厚さが光源から上板までの距離に反比例する設計により光源と上板の間の距離の違いにより発生する明暗不均一の問題が解消されバックライトモジュールの輝度が均一とされ、また、光源と上板の間の距離を減少でき、全体のバックライトモジュールの厚さを減らし軽薄短小の設計を達成する。
【発明を実施するための最良の形態】
【００１２】
図１は本発明の第１実施例の立体分解図である。そのうち光拡散板を具えたバックライトモジュール１が示され、且つこのバックライトモジュール１は、フレーム２、反射板３、上板４、複数の光源５、及び光拡散板６を具えている。図中には三つの光源５が示されている。
【００１３】
図１及び図２の本発明の第１実施例の断面図を参照されたい。そのうち、反射板３はフレーム２の底部２１に組みつけられ、且つ反射板３は上表面３１を具え、上板４はフレーム２の上部２２に組みつけられ、上板４、フレーム２、及び反射板３の三者の間に一つの空間が形成され、上板４から反射板３までに所定距離Ｄが形成され、且つ上板４は下表面４１を具えている。
【００１４】
このほか、上述の光源５は、反射板３の上表面３１に取り付けられ、且つ本実施例では、光源５はランプとされる。
【００１５】
さらに、光拡散板６は上板４の下表面４１に組みつけられ、並びに上述の光源５に対応し、且つ本実施例では、光拡散板６は光源５と上板４の間に介在する。
【００１６】
図１、２及び図３の本発明の第１実施例の拡大断面図を参照されたい。本実施例中、光拡散板６は半透明材料で形成され、且つ上板４は透明ガラスの透明材質とされ、また、光拡散板６は厚さｔ１、ｔ２を具え、且つその厚さｔ１、ｔ２は光源５と上板４間の距離ｄ１、ｄ２に反比例する。この設計により、光源５は均一に光を発生し、即ち光拡散板６の厚さｔ１、ｔ２と光源５と上板４間の距離ｄ１、ｄ２が反比例する設計により、光源５の発生する光が均一に上板４に表示される。
【００１７】
上述の設計中、光拡散板６の外壁６１は放物線断面の連続曲線断面とされ、且つ光拡散板６は貼り付け方式で上板４の下表面４１に組みつけられる。
【００１８】
上述の構造を利用し、光拡散板６の設計の提供により、且つ光拡散板６の厚さｔ１、ｔ２が光源５と上板４の距離ｄ１、ｄ２に反比例する設計により、光源５と上板４の間の距離の違いにより発生する明暗不均一の問題が解消され、且つバックライトモジュール１の輝度に影響を与えずに、バックライトモジュール１の輝度を均一とすることができる。
【００１９】
図４は本発明の第２実施例の拡大断面図であり、その主要な構造は上述の第１実施例と同じであるが、唯一の違いは光拡散板８の外壁８１が多角形断面の不連続断面とされていることである。ただしこの設計も光源７の発生する輝度を均一とし、上述の実施例の各種の機能を達成できる。
【００２０】
光拡散板６、８の外壁６１、８１はそれぞれ異なる形状を有し、上述の各実施例で述べられたように、例えば円形断面、楕円形断面、或いはその他の連続曲線断面とされるか、或いは多角形断面の不連続断面とされる。
【００２１】
このほか、図１、２、３に示されるように、第１実施例中、上板４は透明ガラスで形成されているが、その耐高熱の特性により、上板４から反射板３までの所定距離Ｄを縮小でき、即ち全体のバックライトモジュール１の厚さを減らせる。ただし上板４はまた透明ゴム、シリコン、或いはその他の透明材質とされ得て、且つ反対の設計を採用可能で、即ち光拡散板６が透明材質とされて、上板４が半透明材質とされうる。例えば光拡散板６が透明ガラスで形成され、これにより上板４から反射板３までの所定距離Ｄを減らすことができ、全体のバックライトモジュール１の厚さを縮小できる。
【図面の簡単な説明】
【００２２】
【図１】本発明の第１実施例の立体分解図である。
【図２】本発明の第１実施例の断面図である。
【図３】本発明の第１実施例の拡大断面図である。
【図４】本発明の第２実施例の拡大断面図である。
【符号の説明】
【００２３】
１  バックライトモジュール      ２  フレーム      ２１  底部
２２  上部                      ３  反射板        ３１  上表面
４  上板                        ４１  下表面      ５  光源
６  光拡散板                    ６１  外壁        ７  光源
８  光拡散板                    ８１  外壁
【図１】
2006173082.tif 000003
【図２】
2006173082.tif 000004
【図３】
2006173082.tif 000005
【図４】
2006173082.tif 000006